(57)【特許請求の範囲】
【請求項１】
引戸や扉類の壁面に設けられた掘込穴に装着される引手において、
引手本体と、前記掘込穴の底部に設置され前記引手本体を前記掘込穴に固定するスペーサとを備え、
前記引手本体は、底壁と側壁を一体に形成された指掛凹部を有するケーシングと、このケーシングの指掛凹部の開口端周囲へ張り出しされるフランジと、このフランジ又は前記ケーシングの側壁の外側から前記底壁側に向けて一体に張り出しされる副壁とを有し、
前記引手本体が前記掘込穴に埋め込みされるときに、前記スペーサは、断面視楔状の案内片を有してケーシングの側壁と前記副壁との間に係入され、前記掘込穴の底面により前記スペーサが押し込まれ、前記副壁を前記掘込穴の側面にロックさせることを特徴とする引手。
【請求項２】
前記スペーサは前記ケーシングの外壁を囲繞するように平面視環状に構成されていることを特徴とする請求項１記載の引手。
【請求項３】
前記スペーサは前記ケーシングの外壁に沿う平面視Ｕ字形に一対構成されていることを特徴とする請求項１記載の引手。
【請求項４】
前記スペーサの前記ケーシングの側壁と前記副壁との間に挿入する側において、該スペーサの外壁が縮径する断面視楔状の係入案内片が構成されていることを特徴とする請求項１ないし３のいずれかに記載の引手。
【請求項５】
前記スペーサの前記係入案内片に隣接する部分において、前記副壁が外方へ拡開されることなくスペーサを保持する等肉厚の仮止域が構成されていることを特徴とする請求項４記載の引手。
【請求項６】
前記スペーサの前記仮止域に隣接する部分において、前記副壁を外方へ拡開させるために、該スペーサの外壁を拡径する拡開域が構成されていることを特徴とする請求項５記載の引手。
【請求項７】
前記スペーサの外壁には掘込穴の側面への抜止段部が突出されていることを特徴とする請求項１ないし６のいずれかに記載の引手。
【請求項８】
前記スペーサの掘込穴深さ方向の寸法が掘込穴の深さよりも僅かに短く構成されていることを特徴とする請求項１ないし７のいずれかに記載の引手。
【請求項９】
前記ケーシングの側壁と副壁との間は前記掘込穴の底面側にくるほど幅が広くなるように形成されることを特徴とする請求項１記載の引手。
【請求項１０】
前記副壁の先端片は肉薄に構成されていることを特徴とする請求項１または９記載の引手。
【請求項１１】
前記副壁の先端片に続く前記側壁側には前記フランジ側に向けて前記側壁との間隔が幅狭となる傾斜面が構成されていることを特徴とする請求項１０記載の引手。
【請求項１２】
前記副壁の外側には抜止突起が構成されていることを特徴とする請求項１，９〜１１のいずれかに記載の引手。
【発明の詳細な説明】
【０００１】
【発明の属する技術分野】
本発明は、建具や家具等の引戸や扉類に取り付けられる引手に関するものである。
【０００２】
【従来の技術】
従来引戸類に取り付けされる引手９０は、図６に示されるように、表面に指掛凹部９２を有するケーシング９１と、その表面周囲に外方へ向かって張り出しされるフランジ９３とを備えて構成されている。
【０００３】
上記引手９０の取り付けに際しては、引戸９４に掘込穴９５を設け、この掘込穴９５にケーシング９１を埋設し、指掛凹部９２の上壁９６と下壁９７とから掘込穴９５の側壁へとくぎ９８をそれぞれ打ち込みして固定していた。
【０００４】
【発明が解決しようとする課題】
ところで、くぎ９８を上壁９６と下壁９７とに垂直に打ち込みして取り付けする場合には、指掛凹部９２の上下寸法で金槌の打ち込みストロークが規制されるために、打ち込みに力を加えられないものであった。特に、上壁９６に向けて下側から打ち上げ作業することは、著しく面倒となるものであり、いずれにしても組付け作業に手間と時間とがかかるものであった。
【０００５】
また、打ち込み作業に際しては、指掛凹部９２から離れる前面側から斜めにくぎ９８を打ち込みがちとなるもので、斜め打ち込みしたときにはくぎ９８の頭部が上壁９６と下壁９７とから斜めに露出するおそれが避けられなかった。くぎ９８の頭部が僅かでも斜めに露出すると、使用者の指先に触れてしまう可能性があった。
【０００６】
さらに、引戸９４を継続使用すると、開閉時の柱等との衝撃の繰り返しによってくぎ９８が上壁９６と下壁９７とから早期に浮き出てくることがある。その結果、使用者の指先に触れるばかりか、引手９０が脱落することが懸念される。
【０００７】
くぎ９８に代えてねじを使用することもあるが、ねじ込みに際には、ドライバーが指掛凹部９２に規制されて斜めから使用されるもので、依然作業が面倒となるものであった。また、叙述と同様に斜めの露出と浮き出しとが避けられないものであった。
【０００８】
本発明は、このような事情に対処してなされたもので、引手を掘込穴に簡単にワンタッチで取り付けし、安全性を高めるようにした引手を提供することを目的とするものである。
【０００９】
請求項１の発明は、引戸や扉類の壁面に設けられた掘込穴に装着される引手において、
引手本体と、前記掘込穴の底部に設置され前記引手本体を前記掘込穴に固定するスペーサとを備え、前記引手本体は、底壁と側壁を一体に形成された指掛凹部を有するケーシングと、このケーシングの指掛凹部の開口端周囲へ張り出しされるフランジと、このフランジ又は前記ケーシングの側壁の外側から前記底壁側に向けて一体に張り出しされる副壁とを有し、前記引手本体が前記掘込穴に埋め込みされるときに、前記スペーサは、断面視楔状の案内片を有してケーシングの側壁と前記副壁との間に係入され、前記掘込穴の底面により前記スペーサが押し込まれ、前記副壁を前記掘込穴の側面にロックさせることを特徴とするものである。
【００１０】
請求項１の発明によれば、引手本体の取り付けに際しては、掘込穴にケーシングを埋め込みするだけてよい。即ち、ケーシングの外壁と副壁との間にはスペーサが係入して保持されているので、埋め込みに伴って押圧すると、ケーシングに保持されているスペーサが最初に掘込穴の穴底に当接してケーシングの外壁と副壁との間に深く係入し、副壁を埋込穴の側面へと拡開する。その結果、副壁が掘込穴の側面に係止すると同時にケーシングと副壁とでスペーサが挟み込みされて一体化することで、引手本体が取り付けされる。
【００１１】
請求項２の発明は、請求項１の引手において、前記スペーサは前記ケーシングの外壁を囲繞するように平面視環状に構成されていることを特徴とするものである。
【００１２】
請求項２の発明によれば、スペーサがケーシングの外壁と副壁とに間で外壁に沿って保持されているので、掘込穴にあてがって一体に埋め込みすることができる。スペーサは、穴底で傾きや偏位等することなく位置決めされて押し込みされる。
【００１３】
請求項３の発明は、請求項１の引手において、前記スペーサは前記ケーシングの外壁に沿う平面視Ｕ字形に一対構成されていることを特徴とするものである。
【００１４】
請求項３の発明によれば、ケーシングの外壁にスペーサが簡単に組付けされて保持される。
【００１５】
請求項４の発明は、請求項１ないし３の引手において、前記スペーサの前記ケーシングの側壁と前記副壁との間に挿入する側において、該スペーサの外壁が縮径する断面視楔状の係入案内片が構成されていることを特徴とするものである。
【００１６】
請求項４の発明によれば、スペーサがその楔状部分からケーシングと副壁との間に係入する。即ち、スペーサはその内壁がケーシングの外壁に沿って案内されるので、係入案内片が副壁との間隙に対して楔状となって確実に入り込んで保持される。
【００１７】
請求項５の発明は、請求項４の引手において、前記スペーサの前記係入案内片に隣接する部分において、前記副壁が外方へ拡開されることなくスペーサを保持する等肉厚の仮止域が構成されていることを特徴とするものである。
【００１８】
請求項５の発明によれば、スペーサの係入途中において、副壁は仮止域で外方へ拡開されることなく保持される。
【００１９】
請求項６の発明は、請求項５の引手において、前記スペーサの前記仮止域に隣接する部分において、前記副壁を外方へ拡開させるために、該スペーサの外壁を拡径する拡開域が構成されていることを特徴とするものである。
【００２０】
請求項６の発明によれば、ケーシングにスペーサが保持された状態で押圧することによって、スペーサの外壁の拡径によって副壁がさらに掘込穴の側面へ強く拡開されて抜け止め状態で係止されるに至る。
【００２１】
請求項７の発明は、請求項１ないし６の引手において、前記スペーサの外壁には掘込穴の側面への抜止段部が突出されていることを特徴とするものである。
【００２２】
請求項７の発明によれば、掘込穴にケーシングを押圧することによってスペーサを埋め込みすると、抜止段部が掘込穴の側底面に係止される。
【００２３】
請求項８の発明は、請求項１ないし７の引手において、前記スペーサの掘込穴深さ方向の寸法が掘込穴の深さよりも僅かに短く構成されていることを特徴とするものである。
【００２４】
請求項８の発明によれば、ケーシングを掘込穴へ押圧したときにスペーサがケーシングの外壁と副壁との間隙に正確に係入する。
【００２５】
請求項９の発明は、請求項１の引手において、前記ケーシングの側壁と副壁との間は前記掘込穴の底面側にくるほど幅が広くなるように形成されることを特徴とするものである。
【００２６】
請求項９の発明によれば、ケーシングにスペーサを組付けするに際して、底面側の幅広間隙が案内となってスペーサが係入する。
【００２７】
請求項１０の発明は、請求項１または９の引手において、前記副壁の先端片は肉薄に構成されていることを特徴とするものである。
【００２８】
請求項１０の発明によれば、ケーシングにスペーサを組付けするに際して、副壁の肉薄先端片の内側にスペーサが容易に係入する。
【００２９】
請求項１１の発明は、請求項１０の引き手において、前記副壁の先端片に続く前記側壁側には前記フランジ側に向けて前記側壁との間隔が幅狭となる傾斜面が構成されていることを特徴とする請求項１０記載の引手。
【００３０】
請求項１１の発明によれば、スペーサが係入開始後に幅狭の傾斜面に沿って係入し、副壁を傾斜具合に応じて掘込穴の側面へ拡開する。
【００３１】
請求項１２の発明は、請求項１，９〜１１の引手において、前記副壁の外側には抜止突起が構成されていることを特徴とするものである。
【００３２】
請求項１２の発明によれば、副壁が外側へ拡開されて掘込穴の側面に押圧されて抜止突起で係止される。
【００３３】
【発明の実施の形態】
以下、本発明の実施の形態を図面に基づいて説明する。図１は本発明の引手の一実施の形態を示す分解斜視図、図２は掘込穴へのケーシングの埋込開始を示す断面図、図３は掘込穴へのケーシングの埋込固定を示す断面図、図４は図３の要部拡大断面図である。
【００３４】
引手１は引手本体２とこの引手本体２をワンタッチ固定するスペーサ３とから組合せられて構成される。
【００３５】
引手本体２は、表面に指掛凹部１１を有するケーシング１０と、このケーシング１０の指掛凹部１１の埋込側の外径となる外壁１２と、このケーシング１０の表面周囲へ張り出しされるフランジ１３と、このフランジ１３の裏面側とケーシング１０の外壁１２の裏面側から底面１４に向けて一体に張り出しされる副壁２０とを有し、好ましくは全体が樹脂成形される。上記ケーシング１０の外壁１２は平面視矩形や環状等の各種形態を採用できる。図示するように、外壁１２を小判形として掘込穴径よりも僅かに小径とし、同一径で底面１４まで延長することができる。
【００３６】
前記副壁２０は、ケーシング１０の外壁１２に沿って底面１４の手前まで先端片２１が深く延長されている。副壁２０の先端片２１は底面１４まで延長できるが、スペーサ３に底面１４をあてがって位置決めすることが必要であるので、ケーシング１０の位置決めに必要な程度短いことが望ましい。この副壁２０は外壁１２の両面の直線部分に沿って直線状に一対配置されている。図示するように、副壁２０はその直線部分の中央から分断形成してもよい。
【００３７】
上記副壁２０とケーシング１０の外壁１２との間は先端片２１の側を幅広間隙２２に形成されている。この場合には、副壁２０の先端片２１を内側から肉薄形状とすることで幅広に形成することができる。上記先端片２１は副壁２０の約半分弱の深さ寸法とし、略々同一肉薄形状とすることができる。好ましくは、先端片２１の外側には抜止突起２３を突出させておく。抜止突起２３は外側に沿って爪状に多数設けておく。また、副壁２０の先端片２１に続く内側には基部２４に向けて幅狭となる傾斜面２５が形成されている。傾斜面２５は急激な傾斜部分とこれに続くなだらかな傾斜部分とに構成することができる。
【００３８】
次に、前記スペーサ３は、平面視矩形や環状等の各種形態を採用できるが、図示するように小判形として掘込穴径と同径とし、後述する抜止段部３５のみを僅かに太径とする。スペーサ３の深さ寸法は、掘込穴５１の深さよりも僅かに短く設定され、ケーシング１０を埋め込みしたときに副壁２０の間に係入して埋め込みの障害とならないようにされている。
【００３９】
また、スペーサ３は、内壁３０をケーシング１０の外壁１２と嵌合する寸法とし、内壁３０が略々垂直面状に形成される。スペーサ３には、表面側における副壁２０の対応位置において外壁３１が縮径する断面視略々楔状の係入案内片３２が構成されている。係入案内片３２は前述した幅広間隙２２よりも僅かに肉薄に形成されている。スペーサ３の外壁３１の途中には外壁３１を同肉厚とする仮止域３３が構成され、この仮止域３３に続く底面手前側には外壁３１を拡径する拡開域３４が構成されている。さらに、副壁２０に対応しないスペーサ３の外壁３１には、掘込穴５１の５２に食い込みする抜止段部３５が突出されている。抜止段部３５として鬼目やセレーション等を任意に選択できる。抜止段部３５が位置するスペーサ３は外壁３１が略々同一厚肉で底面３６まで続いている。
【００４０】
次に、引手１の取り付けについて説明する。
スペーサ３とケーシング１０とを組付けして引手本体２を構成する。即ち、スペーサ３の外壁３１の表面側が僅かに内径側に傾斜した状態となっているので、スペーサ３の内壁３０にケーシング１０の底面１４をあてがって係入する。ケーシング１０は底面側の外壁１２がスペーサ３の内壁３０に沿って案内されるので、係入案内片３２は副壁２０と外壁１２との幅広間隙２２に到達し、肉薄状態で幅広間隙２２に確実に入り込みが開始される。幅広間隙２２に係入案内片３２が位置している状態では、副壁２０は拡開されていない。スペーサ３の係入途中において副壁２０は、仮止域３３で外方へ拡開されることなくスペーサ３が保持される。
【００４１】
引手本体２の取り付けに際しては、引戸５０の所定位置に掘込穴５１が穿設されているので、この掘込穴５１にその開口にスペーサ３の底面側をあてがってケーシング１０を押圧する。ケーシング１０を押圧してスペーサ３を掘込穴５１の穴底５３まで押圧すると、スペーサ３は同一厚肉の底面３６で位置決めされて当接する状態となる。スペーサ３は、小判形に一体化された状態で同形の掘込穴５１に押圧されるので、寸法や形状が一致した状態で穴底と側面とに組付けされることとなり、穴底５３での傾きや偏位等を招来することなく位置決めされる。
【００４２】
次に、叙述の保持状態でケーシング１０を押圧することによって、副壁２０の傾斜面２５にスペーサ３の係入案内片３２が入り込むと同時にスペーサ３の拡開域３４が副壁２０の先端片２１に入り込みするので、副壁２０は先端片２１の抜止突起２３が掘込穴５１の側面５２に強く拡開されて抜け止め状態で係止されるに至る。抜け止め状態では、ケーシング１０と副壁２０との間にスペーサ３が楔状に食い込みロックされて一体状態で固定される。
【００４３】
図５は本発明の引手に係るスペーサの他の実施の形態を示す斜視図であり、同一符号は同等部分を示すので重複説明を省略する。
スペーサ４０はケーシング１０の湾曲した外壁１２に沿う平面視略々Ｕ字形に一対から構成されている。スペーサ４０は直線部分の外壁４１に係入案内片３２，仮止域３３，抜止域３４が構成され、湾曲部分と両端との外壁４２を同一厚肉として抜止突起４３が突出されている。
【００４４】
この実施の形態では、ケーシング１０の湾曲した外壁１２，１２にそれぞれ一対のスペーサ４０，４０を押し付けして保持させておけばよい。組付けに際しては、ケーシング１０を押圧して固定される。
【００４５】
この実施の形態によれば、ケーシング１０へのスペーサ４０，４０の組付けが容易に行うことができる。
【００４６】
上記実施の形態において、副壁２０が直線部分の中間で分割されたものを図示説明したが、一連に繋がった壁構造でも実施の形態として採用でき、この場合、スペーサ３の直線部分には係入案内片３２等を一連に設けておく必要がある。
【００４７】
上記実施の形態において、副壁２０をケーシング１０の外壁１２とフランジ１３の裏面側とから一体に張り出ししたものを前提として説明したが、これに限定する趣旨ではない。副壁２０は、ケーシング１０の外壁１２からあるいはフランジ１３の裏面側からのいずれか一方から張り出しすることを妨げないものであって、略々同等な作用効果を奏することが可能である。
【００４８】
【発明の効果】
本発明によれば、組付け現場では、単に掘込穴にスペーサをケーシングに保持した引手本体を埋め込みするだけの簡単な作業でワンタッチ組付けをすることができるうえ、引手からくぎやねじ等を排除することができた。
【図面の簡単な説明】
【図１】図１は本発明の引手の一実施の形態を示す分解斜視図である。
【図２】図２は掘込穴へのケーシングの埋込開始を示す断面図である。
【図３】図３は掘込穴へのケーシングの埋込固定を示す断面図である。
【図４】図４は図３の要部拡大断面図である。
【図５】図５は本発明の引手に係るスペーサの他の実施の形態を示す斜視図である。
【図６】図６は従来の引手を示す斜視図である。
【符号の説明】
１          引手
２          引手本体
３，４０    スペーサ
１０        ケーシング
１１        指掛凹部
１２        （ケーシングの）外壁
１３        フランジ
１４        （ケーシングの）底面
２０        副壁
２１        先端片
２２        幅広間隙
２３        抜止突起
２５        傾斜面
３０        （スペーサの）内壁
３１，４１  （スペーサの）外壁
３２        係入案内片
３３        仮止域
３４        拡開域
３５        抜止段部
５０        引戸
５１        掘込穴
５２        （掘込穴の）側面
【図１】
0003939380.tif 000002
【図２】
0003939380.tif 000003
【図３】
0003939380.tif 000004
【図４】
0003939380.tif 000005
【図５】
0003939380.tif 000006
【図６】
0003939380.tif 000007